(57)【特許請求の範囲】
【請求項１】
上部と、下部と、前記上部および前記下部の間に配置された中央部とを有する背板と、
前記背板上に配置されたクッション材と備え、
前記クッション材は、
前記中央部および前記下部の各々において前記背板上に部分的に配置された第１の発泡体と、
前記第１の発泡体よりも高い発泡倍率を有し、前記中央部および前記下部の各々において前記背板に部分的に重なりかつ前記第１の発泡体を覆うように配置された第２の発泡体と、
前記第２の発泡体よりも高い発泡倍率を有し、かつ前記第２の発泡体を覆うように配置された第３の発泡体とを含み、
前記中央部に配置された前記第１の発泡体と、前記下部に配置された前記第１の発泡体とは、前記背板の上下方向において互いに間隔をあけて配置されており、前記中央部に配置された前記第２の発泡体と、前記下部に配置された前記第２の発泡体とは、前記背板の上下方向において互いに間隔をあけて配置されている、背負い鞄の背当て。
【請求項２】
前記第３の発泡体は、第１の層と、前記第１の層よりも高い発泡倍率を有し、前記第１の層を覆うように配置された第２の層とを含む、請求項１に記載の背負い鞄の背当て。
【請求項３】
前記第２の層は、前記第１の層に対して前記背板と反対側に配置されている、請求項２に記載の背負い鞄の背当て。
【請求項４】
前記第２の層の前記第１の層に対向する面は全面において前記第１の層に接着されている、請求項２または３に記載の背負い鞄の背当て。
【請求項５】
前記背板に固定された外装生地をさらに備え、
前記外装生地と前記背板との間に前記クッション材が挟み込まれており、
前記外装生地と前記背板との間に前記クッション材が挟み込まれた積層方向において、
前記第２の発泡体の厚みは、前記第１の発泡体および前記第３の発泡体の各々の厚みよりも大きい、請求項１〜４のいずれか１項に記載の背負い鞄の背当て。
【請求項６】
請求項１〜５のいずれか１項に記載の背負い鞄の背当てを備えた、背負い鞄。
【発明の詳細な説明】
【技術分野】
【０００１】
本発明は、背負い鞄の背当ておよび背負い鞄に関し、特に、ランドセルなどの背負い鞄の背当ておよびそれを備えた背負い鞄に関するものである。
【背景技術】
【０００２】
従来、ランドセルなどの背負い鞄の背当てにスポンジ等の発泡体よりなるクッション材が用いられている。このような背負い鞄の背当ては、たとえば特開２００７−２９５９６８号公報（特許文献１）に記載されている。
【先行技術文献】
【特許文献】
【０００３】
【特許文献１】特開２００７−２９５９６８号公報
【発明の概要】
【発明が解決しようとする課題】
【０００４】
上記公報に記載された背負い鞄の背当てでは、使用者が背負い鞄を背負った状態で背負い鞄の背当ての下端縁が使用者の腰に当たることがある。特に、使用者が低学年の小学生である場合などの使用者の身長が低い場合に、背負い鞄の背当ての下端縁が使用者の腰に当たることがある。背負い鞄の背当ての下端縁が使用者の腰に当たると、使用者によっては痛みを感じることがある。
【０００５】
本発明は上記の課題に鑑みてなされたものであり、その目的は、背負い鞄の背当ての下端縁が使用者の腰に当たることを抑制できる背負い鞄の背当ておよびそれを備えた背負い鞄を提供することである。
【課題を解決するための手段】
【０００６】
本発明の背負い鞄の背当ては、背板と、クッション材と備えている。背板は、上部と、下部と、上部および下部の間に配置された中央部とを有する。クッション材は、背板上に配置されている。クッション材は、第１の発泡体と、第２の発泡体と、第３の発泡体とを含む。第１の発泡体は、中央部および下部の各々において背板上に部分的に配置されている。第２の発泡体は、第１の発泡体よりも高い発泡倍率を有し、中央部および下部の各々において背板に部分的に重なりかつ第１の発泡体を覆うように配置されている。第３の発泡体は、第２の発泡体よりも高い発泡倍率を有し、かつ第２の発泡体を覆うように配置されている。中央部に配置された第１の発泡体と、下部に配置された第１の発泡体とは、背板の上下方向において互いに間隔をあけて配置されており、中央部に配置された第２の発泡体と、下部に配置された第２の発泡体とは、背板の上下方向において互いに間隔をあけて配置されている。
【０００７】
本発明の背負い鞄の背当てによれば、背板の下部において第１の発泡体を第１の発泡体よりも高い発泡倍率を有する第２の発泡体が覆っているため、第１の発泡体を基礎にして第２の発泡体を重ねることで、背板の下部においてクッション材の厚さを大きくすることができる。このため、使用者が背負い鞄を背負った状態で背負い鞄の背当ての下端縁が使用者の腰に当たることを抑制できる。
【０００８】
上記の背負い鞄の背当てでは、第３の発泡体は、第１の層と、第２の層とを含む。第２の層は、第１の層よりも高い発泡倍率を有し、第１の層を覆うように配置されている。このため、第１の層および第２の層の２つの層により第３の発泡体の軟らかさを細かく調整できる。
【０００９】
上記の背負い鞄の背当てでは、第２の層は、第１の層に対して背板と反対側に配置されている。このため、使用者が背負い鞄を背負った状態で、第１の層よりも高い発泡倍率を有する第２の層が使用者の背中側に配置される。これにより、使用者の背中がクッション材に当たったときに、使用者はより軟らかい感触を得ることができる。
【００１０】
上記背負い鞄の背当ては、背板に固定された外装生地をさらに備えている。外装生地と背板との間にクッション材が挟み込まれている。外装生地と背板との間にクッション材が挟み込まれた積層方向において、第２の発泡体の厚みは、第１の発泡体および第３の発泡体の各々の厚みよりも大きい。このため、第２の発泡体により、背板の下部においてクッション材の厚さを確保できるとともに、クッション材の軟らかさを確保できる。
【００１１】
本実施の形態の背負い鞄は、上記背負い鞄の背当てを備えている。このため、背負い鞄の背当ての下端縁が使用者の腰に当たることを抑制できる背負い鞄の背当てを備えた背負い鞄を提供することができる。
【発明の効果】
【００１２】
以上説明したように、本発明によれば、背負い鞄の背当ての下端縁が使用者の腰に当たることを抑制できる背負い鞄の背当ておよびそれを備えた背負い鞄を提供することができる。
【図面の簡単な説明】
【００１３】
【図１】本発明の一実施の形態における背負い鞄の構成を概略的に示す斜視図である。
【図２】本発明の一実施の形態における背負い鞄の背当ての構成を概略的に示す部分断面斜視図である。
【図３】本発明の一実施の形態における背負い鞄の背当ての構成を概略的に示す正面図である。
【図４】図２の断面を拡大して示す断面図である。
【図５】図２の断面おける背負い鞄の背当てが型押しプレスされる様子を概略的に示す断面図である。
【図６】本発明の一実施の形態における背負い鞄が使用者に背負われた状態を概略的に示す側面図である。
【発明を実施するための形態】
【００１４】
以下、本発明の一実施の形態について図に基づいて説明する。
最初に本実施の形態の背負い鞄の構成について説明する。本実施の形態では背負い鞄としてランドセルを例に説明する。なお、以下、同一の機能を果たす要素には同一の参照符号を付し、その説明は、特に必要がなければ繰り返さない。
【００１５】
図１を参照して、本実施の形態の背負い鞄としてのランドセルＲは、背負い鞄の背当て１（以下、単に背当てという。）と、一対の肩掛けベルト２と、取付具３と、収容部Ｂと、蓋部Ｃを主に有している。
【００１６】
背当て１は、ランドセルＲを使用者が背負ったときに使用者の背中に接する部分である。一対の肩掛けベルト２はランドセルＲを使用者が背負ったときに使用者の両肩に装着されるように構成されている。背当て１に一対の肩掛けベルト２が取付具３によって取り付けられている。
【００１７】
取付具３は、背当て１の上下方向の上端部において左右方向の中央部に固定されている。取付具３は、一対の肩掛けベルト２の各々の上端部を受け入れ可能な取付部３ａを有している。取付具３は、取付部３ａがランドセルＲから上方に向けられた状態で、背当て１に固定されている。一対の肩掛けベルト２の各々の上端部は、取付部３ａに受け入れられることにより、背当て１の上端部に接続されている。したがって、肩掛けベルト２は、ランドセルＲから上方に向くように取付部３ａに取り付けられている。
【００１８】
このため、使用者がランドセルＲを背負ったときに、ランドセルＲが常に斜め上方に引っ張られた状態となり、肩掛けベルト２が使用者の肩に沿うように曲がるため、背当て１が使用者の背中に程良く密着することが可能である。
【００１９】
収容部Ｂは、側面部Ｂ１と、正面部Ｂ２と、底面部Ｂ３と、開口部Ｂ４とを有している。側面部Ｂ１は、背当て１の左右両側にそれぞれ接続されている。正面部Ｂ２は、背当て１と対向している。正面部Ｂ２の左右両側は側面部Ｂ１に接続されている。底面部Ｂ３は、背当て１、側面部Ｂ１および正面部Ｂ２のそれぞれの下端に接続されている。開口部Ｂ４は、背当て１、側面部Ｂ１および正面部Ｂ２のそれぞれの上端に設けられている。
【００２０】
蓋部Ｃは、開口部Ｂ４を開閉可能に背当て１の上端に接続されている。蓋部Ｃは、開口部Ｂ４および正面部Ｂ２を覆うことが可能に設けられている。また、一対の肩掛けベルト２の各々の下端部は、底面部Ｂ３に設けられた止め具（図示せず）に接続可能に構成されている。一対の肩掛けベルト２の各々は、厚手の皮革地や合成樹脂地からなっている。
【００２１】
図２および図３を参照して、背当て１の構成についてさらに詳しく説明する。
背当て１は、背板４と、外装生地５と、クッション材６とを主に有している。背板４は、上部４ａと、下部４ｂと、中央部４ｃとを有している。上部４ａは、背板４の上端からたとえば５０ｍｍ以下の部分である。下部４ｂは、背板４の上端から２２０ｍｍ以上２８０ｍｍ以下の部分である。また、下部４ｂは、背板４の下端からたとえば８０ｍｍ以下の部分である。中央部４ｃは上部４ａおよび下部４ｂの間に配置されている。中央部４ｃは、背板４の上端からたとえば９０ｍｍ以上１８０ｍｍ以下の部分である。
【００２２】
背板４は、たとえば、プラスチック、木材などの剛性を有する素材から構成されている。背板４は、好ましくは弾力性を有する素材から構成されている。本実施の形態では、背板４は、四角形状の板から構成されている。
【００２３】
外装生地５は、たとえば合成樹脂材からなる人工皮革の生地の裏面に不織布を貼り合わせたものから構成されている。外装生地５は、好ましくは伸縮性の高い素材から構成されている。この伸縮性としては伸度５％以上が好ましい。外装生地５は、好ましくは通気性の高い素材から構成されている。本実施の形態では、外装生地５は、四角形状の素材から構成されている。
【００２４】
クッション材６は、背板４上に配置されている。クッション材６は背板４に対して外装生地５側に突出するように構成されている。つまり、クッション材６は、使用者がランドセルＲを背負った状態で背板４から使用者の背中側に突出するように構成されている。
【００２５】
クッション材６は背板４の左右の両側に配置されている。クッション材６は背板４の左右の両側のそれぞれで背板４の上部から下部に向かって幅が大きくなるように形成されている。クッション材６は、背板４の中央部４ｃに隆起部Ｐを有している。隆起部Ｐの高さは、背板４の上部４ａおよび下部４ｂでのクッション材６の高さより高くなるように形成されている。つまり、隆起部Ｐは背板４に対して外装生地５側に最も大きく突出している。
【００２６】
クッション材６は、第１の発泡体６ａと、第２の発泡体６ｂと、第３の発泡体６ｃとを含んでいる。背板４の左右の両側に配置された一対のクッション材６の各々は、それぞれ第１の発泡体６ａと、第２の発泡体６ｂと、第３の発泡体６ｃとを有している。
【００２７】
クッション材６は、第１の発泡体６ａと、第２の発泡体６ｂと、第３の発泡体６ｃとが層状に組み合わされている。クッション材６は第１の発泡体６ａと、第２の発泡体６ｂと、第３の発泡体６ｃとを部分的に層状に組み合わせることにより、クッション材６の任意の位置を高くしたり低くしたりすることができる。このため、使用者の背中に沿うようにクッション材６の高さを調整することができる。
【００２８】
第１の発泡体６ａは、背板４の中央部４ｃおよび下部４ｂの各々において背板４上に部分的に配置されている。中央部４ｃに配置された第１の発泡体６ａと、下部４ｂに配置された第１の発泡体６ａとは、背板４の上下方向において互いに間隔をあけて配置されている。この間隔はたとえば８０ｍｍである。
【００２９】
中央部４ｃに配置された第１の発泡体６ａは、クッション材６の左右方向の中央に配置されている。中央部４ｃに配置された第１の発泡体６ａは、背板４の左右方向の外側に向かって高さが高くなるテーパ形状を有している。中央部４ｃに配置された第１の発泡体６ａの背板４の左右方向の幅寸法は、たとえば４５ｍｍである。中央部４ｃに配置された第１の発泡体６ａの背板４の上下方向の高さ寸法は、背板４の左右方向の内側においてたとえば３０ｍｍであり、外側においてたとえば３５ｍｍである。
【００３０】
下部４ｂに配置された第１の発泡体６ａは、クッション材６の左右方向の略全長に渡って配置されている。下部４ｂに配置された第１の発泡体６ａは、クッション材６の左右方向の外側の隅に湾曲部Ｄを有している。湾曲部Ｄはこの隅に対向するラウンド形状を有している。下部４ｂに配置された第１の発泡体６ａの背板４の左右方向の幅寸法は、たとえば９０ｍｍである。下部４ｂに配置された第１の発泡体６ａの背板４の上下方向の高さ寸法は、たとえば２５ｍｍである。
【００３１】
第２の発泡体６ｂは、第１の発泡体６ａよりも高い発泡倍率を有している。第２の発泡体６ｂは、背板４の中央部４ｃおよび下部４ｂの各々において背板４に部分的に重なっている。第２の発泡体６ｂは、背板４の中央部４ｃおよび下部４ｂの各々において部分的に配置されている。中央部４ｃに配置された第２の発泡体６ｂと、下部４ｂに配置された第２の発泡体６ｂとは、背板４の上下方向において互いに間隔をあけて配置されている。この間隔はたとえば４０ｍｍである。
【００３２】
第２の発泡体６ｂは第１の発泡体６ａを覆うように配置されている。本実施の形態では、中央部４ｃに配置された第２の発泡体６ｂは中央部４ｃに配置された第１の発泡体６ａの全面を覆っている。下部４ｂに配置された第２の発泡体６ｂは、下部４ｂに配置された第１の発泡体６ａのクッション材６の左右方向の中央を覆っている。
【００３３】
中央部４ｃに配置された第２の発泡体６ｂは、クッション材６の左右方向の中央に配置されている。中央部４ｃに配置された第２の発泡体６ｂは、背板４の上下方向の下側に向かって幅が大きくなるテーパ形状を有している。中央部４ｃに配置された第２の発泡体６ｂの背板４の左右方向の幅寸法は、背板４の上下方向の上側においてたとえば４５ｍｍであり、下側においてたとえば５０ｍｍである。中央部４ｃに配置された第２の発泡体６ｂの背板４の上下方向の高さ寸法はたとえば６０ｍｍである。
【００３４】
下部４ｂに配置された第２の発泡体６ｂは、クッション材６の左右方向の中央に配置されている。下部４ｂに配置された第２の発泡体６ｂは、背板４の左右方向の外側に向かって高さが低くなるテーパ形状を有している。下部４ｂに配置された第２の発泡体６ｂの背板４の左右方向の幅寸法はたとえば６０ｍｍである。下部４ｂに配置された第２の発泡体６ｂの背板４の上下方向の高さ寸法は、背板４の左右方向の内側においてたとえば５０ｍｍであり、外側においてたとえば４５ｍｍである。
【００３５】
第３の発泡体６ｃは、第２の発泡体６ｂよりも高い発泡倍率を有している。第３の発泡体６ｃは、第２の発泡体６ｂを覆うように配置されている。第３の発泡体６ｃはクッション材６の上下方向および左右方向の略全域を覆っている。第３の発泡体６ｃは第１の発泡体６ａおよび第２の発泡体６ｂの全面を覆っている。第３の発泡体６ｃは、背板４の中央部４ｃに配置された第２の発泡体６ｂと下部４ｂに配置された第２の発泡体６ｂとの間において背板４に当接するように配置されている。また、第３の発泡体６ｃは、背板４の中央部４ｃに配置された第２の発泡体６ｂよりも上方の背板４の上部４ａにおいて背板４に当接するように配置されている。
【００３６】
本実施の形態では、第３の発泡体６ｃは、第１の層６ｃ１と、第２の層６ｃ２とを含んでいる。つまり、第３の発泡体６ｃは２層構造を有している。第２の層６ｃ２は、第１の層よりも高い発泡倍率を有している。第２の層６ｃ２は、第１の層６ｃ１を覆うように配置されている。
【００３７】
この第２の層６ｃ２は、第１の層６ｃ１に対して背板４と反対側に配置されている。つまり、この第２の層６ｃ２は、使用者がランドセルＲを背負った状態で使用者の背中側に配置される。また、第２の層６ｃ２の第１の層６ｃ１に対向する面は全面において第１の層６ｃ１に接着されている。
【００３８】
本実施の形態では、第１の発泡体６ａはＥＶＡ（エチレン−酢酸ビニル共重合樹脂）から構成されている。なお、第１の発泡体６ａはポリウレタン発泡体から構成されていてもよい。第２の発泡体６ｂおよび第３の発泡体６ｃの各々はポリウレタン発泡体から構成されている。なお、第１の発泡体６ａ、第２の発泡体６ｂおよび第３の発泡体６ｃはいずれもスポンジなど背当て１を適宜の形状に隆起させるのに好ましい素材であれば限定されない。
【００３９】
第１の発泡体６ａの発泡倍率はたとえば２〜１０倍、好ましくは５〜７倍である。第２の発泡体６ｂの発泡倍率はたとえば１５〜２５倍、好ましくは１８〜２２倍である。第３の発泡体６ｃの発泡倍率はたとえば２６〜４０倍、好ましくは２８〜３２倍である。第３の発泡体６ｃの第１の層６ｃ１発泡倍率はたとえば２６〜３０倍、第２の層６ｃ２の発泡倍率はたとえば３０〜４０倍である。
【００４０】
図４を参照して、背当て１が型押しプレスされた後の状態について説明する。
外装生地５は背板４に固定されている。外装生地５と背板４との間にクッション材６が挟み込まれている。外装生地５と背板４との間にクッション材６が挟み込まれた積層方向において、第２の発泡体６ｂの厚みは、第１の発泡体６ａおよび第３の発泡体６ｃの各々の厚みよりも大きい。ここで、外装生地５と背板４との間にクッション材６が挟み込まれた積層方向とは、背板４と外装生地５とクッション材６とが積層する方向である。つまり、図４中矢印で示すように、背板４に対して垂直な方向である。
【００４１】
型押しプレスされた後のクッション材６の厚みは、たとえば２０ｍｍ以上４０ｍｍ以下である。型押しプレスされた後のクッション材６の厚みは、好ましくは２５ｍｍ以上３５ｍｍ以下である。
【００４２】
図５を参照して、背当て１が型押しプレスされる様子について説明する。
クッション材６を外装生地５で被うように型押しプレスが行われる。図５中矢印で示すように、背板４に対して垂直な方向に型押しプレスが行われる。
【００４３】
第１の発泡体６ａは、発泡倍率が低いため収縮率が低い。このため、第１の発泡体６ａは、クッション材６の厚みを維持する基礎（土台）としての機能を有している。型押しプレスされる前の第１の発泡体６ａの厚みは、たとえば５ｍｍである。図４に示すように、第１の発泡体６ａは、型押しプレスされた後でもその厚みがほぼ変化しない。つまり、型押しプレスされた後の第１の発泡体６ａの厚みは、約５ｍｍである。
【００４４】
第２の発泡体６ｂは、第１の発泡体６ａよりも高い発泡倍率を有しているため第１の発泡体６ａよりも収縮率が高い。このため、第２の発泡体６ｂは、クッション材６の厚みを維持する機能とクッション材６の軟らかさを発揮する機能とを有している。型押しプレスされる前の第２の発泡体６ｂの厚みは、たとえば２０ｍｍである。図４に示すように、第２の発泡体６ｂは、型押しプレスされた後には、その厚みが約半分になる。つまり、型押しプレスされた後の第２の発泡体６ｂの厚みは、約１０ｍｍである。
【００４５】
第３の発泡体６ｃは第２の発泡体６ｂよりも高い発泡倍率を有しているため第２の発泡体６ｂよりも収縮率が高い。このため、第３の発泡体６ｃは、クッション材６の軟らかさを発揮する機能を主に有している。型押しプレスされる前の第３の発泡体６ｃの厚みは、たとえば２５ｍｍである。図４に示すように、第３の発泡体６ｃは、型押しプレスされた後には、その厚みが大きく変化する。つまり、型押しプレスされた後の第３の発泡体６ｃの厚みは、約１０ｍｍである。
【００４６】
また、型押しプレスされる前の第３の発泡体６ｃのうち第１の層６ｃ１の厚みは、たとえば１０ｍｍであり、第２の層６ｃ２の厚みはたとえば１５ｍｍである。型押しプレスされた後の第１の層６ｃ１の厚みは約３ｍｍであり、第２の層６ｃ２の厚みは約７ｍｍである。
【００４７】
次に、本実施の形態の作用効果について説明する。
本実施の形態の背当て１によれば、背板４の下部４ｂにおいて第１の発泡体６ａを第１の発泡体６ａよりも高い発泡倍率を有する第２の発泡体６ｂが覆っているため、第１の発泡体６ａを基礎にして第２の発泡体６ｂを重ねることで、背板４の下部４ｂにおいてクッション材６の厚さを大きくすることができる。このため、図６に示すように、使用者１０がランドセルＲを背負った状態でランドセルＲの背当て１の下端縁が使用者１０の腰に当たることを抑制できる。
【００４８】
また、第１の発泡体６ａよりも高い発泡倍率を有する第２の発泡体６ｂで基礎となる第１の発泡体６ａが覆われているため、使用者１０の背中がクッション材６に当たったときに、使用者は軟らかい感触を得ることができる。
【００４９】
また、クッション材６が使用者１０の背中に当たるときに、背板４の中央部４ｃの隆起部Ｐが使用者１０の肩甲骨下方の背中の形状に沿うように配置されるため、クッション材６と使用者１０の背中との接触面積を大きくすることができる。そして、背板４の下部４ｂにおいてクッション材６の厚さを大きくすることにより、クッション材６と使用者１０の背中との接触面積をさらに大きくすることができる。
【００５０】
また、中央部４ｃに配置された第２の発泡体６ｂと、下部４ｂに配置された第２の発泡体６ｂとは、背板４の上下方向において互いに間隔をあけて配置されている。したがって、第２の発泡体６ｂは中央部４ｃから下部４ｂまで連続して配置されていない。このため、クッション材６を軽量化することができる。よって、使用者１０のランドセルＲを背負ったときの掛け心地が向上する。
【００５１】
本実施の形態の背当て１では、第３の発泡体６ｃは、第１の層６ｃ１と、第２の層６ｃ２とを含んでいる。第２の層６ｃ２は、第１の層６ｃ１よりも高い発泡倍率を有し、第１の層６ｃ１を覆うように配置されている。このため、第１の層６ｃ１および第２の層６ｃ２の２つの層により第３の発泡体６ｃの軟らかさを細かく調整できる。
【００５２】
本実施の形態１の背当て１では、第２の層６ｃ２は、第１の層６ｃ１に対して背板４と反対側に配置されている。このため、使用者１０が背負い鞄を背負った状態で、第１の層６ｃ１よりも高い発泡倍率を有する第２の層６ｃ２が使用者１０の背中側に配置される。これにより、使用者１０の背中がクッション材６に当たったときに、使用者１０はより軟らかい感触を得ることができる。つまり、使用者１０がランドセルＲを背負ったときに感じる背当て１の接触感がより軟らかいものとなる。
【００５３】
本実施の形態１の背当て１では、外装生地５と背板４との間にクッション材６が挟み込まれた方向において、第２の発泡体６ｂの厚みは、第１の発泡体６ａおよび第３の発泡体６ｃの各々の厚みよりも大きい。このため、第２の発泡体６ｂにより、背板４の下部４ｂにおいてクッション材６の厚さを確保できるとともに、クッション材６の軟らかさを確保できる。
【００５４】
本実施の形態のランドセルＲは、上記の背当て１を備えている。このため、ランドセルＲの背当て１の下端縁が使用者１０の腰に当たることを抑制できる背当て１を備えたランドセルＲを提供することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５６】
１  背負い鞄の背当て、２  肩掛けベルト、３  取付具、３ａ  取付部、４  背板、４ａ  上部、４ｂ  下部、４ｃ  中央部、５  外装生地、６  クッション材、６ａ  第１の発泡体、６ｂ  第２の発泡体、６ｃ  第３の発泡体、６ｃ１  第１の層、６ｃ２  第２の層、Ｂ  収容部、Ｂ１  側面部、Ｂ２  正面部、Ｂ３  底面部、Ｂ４  開口部、Ｃ  蓋部、Ｄ  湾曲部、Ｐ  隆起部、Ｒ  ランドセル。
【図１】
0006494315.tif 000002
【図２】
0006494315.tif 000003
【図３】
0006494315.tif 000004
【図４】
0006494315.tif 000005
【図５】
0006494315.tif 000006
【図６】
0006494315.tif 000007